(57)【要約】【課題】毛を軟化させやすい電気かみそりを提供する。【解決手段】電気かみそり１は、ヘッド部１２、外刃ユニット３０、内刃ユニット４０、および、毛軟化部５０を有する。ヘッド部１２は、外刃ユニット３０を支持している。ヘッド部１２は、内刃ユニット４０を収容している。外刃ユニット３０は、外刃本体３２を有する。内刃ユニット４０は、外刃孔３２Ａから導入された毛を外刃本体３２と挟み込むことにより毛を切断する構造を有する。毛軟化部５０は、軟化部本体６０および噴出路７１を有する。毛軟化部５０は、スチームを発生する。噴出路７１は、噴出口７２を有する。噴出口７２は、ヘッド部１２の内部に存在している。噴出口７２は、外刃孔３２Ａを介して電気かみそり１の外部と連通している。【選択図】図２
2014230648.tif 000002
【特許請求の範囲】
【請求項１】
毛を切断する電気かみそりであって、
前記電気かみそりは、ヘッド部、外刃、内刃、および、毛軟化部を有し、
前記ヘッド部は、前記外刃を支持し、前記内刃を収容し、
前記外刃は、外刃本体を有し、
前記外刃本体は、前記ヘッド部に支持され、外刃孔を有し、
前記外刃孔は、前記外刃本体を貫通し、毛を前記ヘッド部の内部に導入することが可能な大きさを有し、
前記内刃は、前記外刃孔から導入された毛を前記外刃本体と挟み込むことにより毛を切断する構造を有し、
前記毛軟化部は、軟化部本体および噴出路を有し、
前記軟化部本体は、前記電気かみそりの内部または外部に存在し、スチームまたはミストを発生し、
前記噴出路は、前記軟化部本体が発生したスチームまたはミストを流通させ、噴出口を有し、
前記噴出口は、前記ヘッド部の内部に存在し、前記外刃孔を介して前記電気かみそりの外部と連通している
電気かみそり。
【請求項２】
前記電気かみそりは、把持部を有し、
前記把持部は、前記ヘッド部を支持し、
前記軟化部本体は、前記ヘッド部の内部または前記把持部の内部に収容されている
請求項１に記載の電気かみそり。
【請求項３】
前記電気かみそりは、内刃支持板を有し、
前記内刃支持板は、支持板本体および複数の支持板孔を有し、
前記支持板本体は、前記ヘッド部の内部に固定され、
前記支持板孔は、前記支持板本体に形成され、
前記噴出口は、前記支持板孔および前記外刃孔を介して前記電気かみそりの外部と連通している
請求項１または２に記載の電気かみそり。
【請求項４】
前記電気かみそりは、駆動部を有し、
前記駆動部は、前記内刃と結合され、前記内刃を前記内刃支持板および前記外刃に対して往復駆動させ、
前記支持板本体は、内刃通過面および内刃非通過面を有し、
前記内刃通過面は、前記支持板本体の平面視において、前記内刃が往復駆動するときに通過する面を含み、
前記内刃非通過面は、前記支持板本体の平面視において、前記内刃が往復駆動するときに通過しない面を示し、
前記内刃通過面に存在する前記支持板孔の数は、前記内刃非通過面に存在する前記支持板孔の数よりも多い
請求項３に記載の電気かみそり。
【請求項５】
前記電気かみそりは、駆動部を有し、
前記駆動部は、前記内刃と結合され、前記内刃を前記内刃支持板および前記外刃に対して往復駆動させ、
前記支持板本体は、内刃通過面および内刃非通過面を有し、
前記内刃通過面は、前記支持板本体の平面視において、前記内刃が往復駆動するときに通過する面を含み、
前記内刃非通過面は、前記支持板本体の平面視において、前記内刃が往復駆動するときに通過しない面を示し、
前記支持板孔は、前記支持板本体のうち、前記内刃通過面のみに形成されている
請求項３に記載の電気かみそり。
【請求項６】
前記毛軟化部は、防水透湿膜を有し、
前記防水透湿膜は、前記ヘッド部の内部において、前記噴出路、および、前記噴出口と前記外刃孔との間の少なくとも一方に存在している
請求項１〜５のいずれか一項に記載の電気かみそり。
【請求項７】
前記軟化部本体は、貯水部および加熱部を有し、
前記貯水部は、水分を貯水し、
前記加熱部は、前記貯水部の水分を加熱し、
前記毛軟化部は、温度調節部を有し、
前記温度調節部は、前記加熱部が水を加熱することにより発生するスチームの温度を調節する
請求項１〜６のいずれか一項に記載の電気かみそり。
【発明の詳細な説明】
【技術分野】
【０００１】
本発明は、毛を切断する電気かみそりに関する。
【背景技術】
【０００２】
特許文献１は、従来の電気かみそりの一例を開示している。図６は、特許文献１の電気かみそり２００を示している。電気かみそり２００は、かみそり本体３００およびスチーム発生装置４００を有する。
【０００３】
かみそり本体３００は、ヘッド部３１０、外刃３２０、内刃（図示略）、および、把持部３３０を有する。
ヘッド部３１０は、外刃３２０を支持している。ヘッド部３１０は、内部に内刃を収容している。外刃３２０は、使用者の肌面５００に押し付けられる。外刃３２０は、複数の外刃孔（図示略）を有する。外刃３２０は、髭を外刃孔からヘッド部３１０の内部に取り込む。
【０００４】
内刃は、ヘッド部３１０の内部において外刃３２０に対して往復駆動する。内刃は、外刃孔から取り込まれた髭を外刃３２０と挟み込むことにより髭を切断する。把持部３３０は、ヘッド部３１０を支持している。
【０００５】
スチーム発生装置４００は、装置本体４１０および噴出口４２０を有する。
装置本体４１０は、水を加熱することによりスチームを発生させる。装置本体４１０は、把持部３３０に取り付けられている。
【０００６】
噴出口４２０は、装置本体４１０と一体的に形成されている。噴出口４２０は、装置本体４１０が発生させたスチームを使用者の肌面に向けて噴射することにより髭を軟化させる。噴出口４２０は、肌面５００において、外刃３２０が押し付けられる面とは異なる面と対向する。
【先行技術文献】
【特許文献】
【０００７】
【特許文献１】特開２００９−２６１６２７号公報
【発明の概要】
【発明が解決しようとする課題】
【０００８】
電気かみそり２００は、肌面５００において、外刃３２０が押し付けられている面と対向しにくい。このため、電気かみそり２００は、肌面５００において、外刃３２０が押し付けられている面に存在している髭にスチームを噴射しにくい。このため、電気かみそり２００は、髭を軟化させにくい。なお、この課題は、電気かみそり２００が切断する毛が髭である場合に限定されない。
【０００９】
本発明は、以上の背景をもとに創作されたものであり、毛を軟化させやすい電気かみそりを提供することを目的とする。
【課題を解決するための手段】
【００１０】
（１）本電気かみそりは、「毛を切断する電気かみそりであって、前記電気かみそりは、ヘッド部、外刃、内刃、および、毛軟化部を有し、前記ヘッド部は、前記外刃を支持し、前記内刃を収容し、前記外刃は、外刃本体を有し、前記外刃本体は、前記ヘッド部に支持され、外刃孔を有し、前記外刃孔は、前記外刃本体を貫通し、毛を前記ヘッド部の内部に導入することが可能な大きさを有し、前記内刃は、前記外刃孔から導入された毛を前記外刃本体と挟み込むことにより毛を切断する構造を有し、前記毛軟化部は、軟化部本体および噴出路を有し、前記軟化部本体は、前記電気かみそりの内部または外部に存在し、スチームまたはミストを発生し、前記噴出路は、前記軟化部本体が発生したスチームまたはミストを流通させ、噴出口を有し、前記噴出口は、前記ヘッド部の内部に存在し、前記外刃孔を介して前記電気かみそりの外部と連通している電気かみそり」を含む。
【００１１】
上記電気かみそりは、噴出路を有する。噴出路は、噴出口を有する。噴出口は、ヘッド部の内部に存在している。噴出口は、外刃孔を介して電気かみそりの外部と連通している。このため、軟化部本体が発生させたスチームまたはミストは、噴出口を介してヘッド部の内部に放出される。ヘッド部の内部に放出されたスチームまたはミストは、外刃孔を介して電気かみそりの外部へ放出される。一方、電気かみそりは、肌面に外刃が押し付けられて使用される。このため、上記電気かみそりは、外刃孔を介して外部に放出されたスチームまたはミストが毛と接触しやすい。このため、上記電気かみそりは、毛を軟化させやすくすることができる。
【００１２】
（２）上記電気かみそりの一形態は、「前記電気かみそりは、把持部を有し、前記把持部は、前記ヘッド部を支持し、前記軟化部本体は、前記ヘッド部の内部または前記把持部の内部に収容されている電気かみそり」を含む。
【００１３】
（３）上記電気かみそりの一形態は、「前記電気かみそりは、内刃支持板を有し、前記内刃支持板は、支持板本体および複数の支持板孔を有し、前記支持板本体は、前記ヘッド部の内部に固定され、前記支持板孔は、前記支持板本体に形成され、前記噴出口は、前記支持板孔および前記外刃孔を介して前記電気かみそりの外部と連通している電気かみそり」を含む。
【００１４】
（４）上記電気かみそりの一形態は、「前記電気かみそりは、駆動部を有し、前記駆動部は、前記内刃と結合され、前記内刃を前記内刃支持板および前記外刃に対して往復駆動させ、前記支持板本体は、内刃通過面および内刃非通過面を有し、前記内刃通過面は、前記支持板本体の平面視において、前記内刃が往復駆動するときに通過する面を含み、前記内刃非通過面は、前記支持板本体の平面視において、前記内刃が往復駆動するときに通過しない面を示し、前記内刃通過面に存在する前記支持板孔の数は、前記内刃非通過面に存在する前記支持板孔の数よりも多い電気かみそり」を含む。
【００１５】
（５）上記電気かみそりの一形態は、「前記電気かみそりは、駆動部を有し、前記駆動部は、前記内刃と結合され、前記内刃を前記内刃支持板および前記外刃に対して往復駆動させ、前記支持板本体は、内刃通過面および内刃非通過面を有し、前記内刃通過面は、前記支持板本体の平面視において、前記内刃が往復駆動するときに通過する面を含み、前記内刃非通過面は、前記支持板本体の平面視において、前記内刃が往復駆動するときに通過しない面を示し、前記支持板孔は、前記支持板本体のうち、前記内刃通過面のみに形成されている電気かみそり」を含む。
【００１６】
（６）上記電気かみそりの一形態は、「前記毛軟化部は、防水透湿膜を有し、前記防水透湿膜は、前記ヘッド部の内部において、前記噴出路、および、前記噴出口と前記外刃孔との間の少なくとも一方に存在している電気かみそり」を含む。
【００１７】
（７）上記電気かみそりの一形態は、「前記軟化部本体は、貯水部および加熱部を有し、前記貯水部は、水分を貯水し、前記加熱部は、前記貯水部の水分を加熱し、前記毛軟化部は、温度調節部を有し、前記温度調節部は、前記加熱部が水を加熱することにより発生するスチームの温度を調節する電気かみそり」を含む。
【発明の効果】
【００１８】
本電気かみそりは、毛を軟化させやすい。
【図面の簡単な説明】
【００１９】
【図１】実施形態の電気かみそりの分解斜視図。
【図２】実施形態の電気かみそりに関する図であって、図１のＤ２−Ｄ２線において破断された電気かみそりの模式的な構造を示す断面図。
【図３】実施形態の内刃支持板および内刃本体の平面図。
【図４】実施形態の電気かみそりの電気回路の構成を示すブロック図。
【図５】実施形態の電気かみそりに関する図であって、軟化部本体がスチームを発生している状態の電気かみそりの模式的な構造を示す断面図。
【図６】従来の電気かみそりの側面図。
【発明を実施するための形態】
【００２０】
図１を参照して、電気かみそり１の構成について説明する。
電気かみそり１は、かみそり本体１０、外刃ユニット３０、内刃ユニット４０、および、毛軟化部５０を有する。電気かみそり１は、内刃ユニット４０を外刃ユニット３０に対して往復運動させる往復動式電気かみそりとしての形態を有する。
【００２１】
かみそり本体１０は、把持部１１、ヘッド部１２、駆動部１３、電源スイッチ１４、および、内刃支持板２０を有する。かみそり本体１０は、本体正面１０Ａ、本体背面１０Ｂ、本体右側面１０Ｃ、および本体左側面１０Ｄを有する。かみそり本体１０は、本体長手方向、本体幅方向、および本体奥行方向を規定している。本体長手方向は、かみそり本体１０の正面視における長手方向の双方向を示している。本体幅方向は、かみそり本体１０の正面視において本体長手方向に直交する双方向を示している。本体奥行方向は、本体長手方向および本体幅方向に直交する双方向を示している。
【００２２】
本体正面１０Ａは、電気かみそり１が使用者により使用されるとき、使用者に向かい合う面を示している。本体背面１０Ｂは、本体奥行方向において、本体正面１０Ａとは反対側に存在する面を示している。本体右側面１０Ｃは、本体幅方向において、本体正面１０Ａに対して右側に存在する面を示している。本体左側面１０Ｄは、本体幅方向において、本体正面１０Ａに対して左側に存在する面を示している。
【００２３】
ヘッド部１２は、把持部１１に結合されている。ヘッド部１２は、ヘッド部ケース１２Ａおよび収容空間１２Ｂを有する。ヘッド部ケース１２Ａは、外刃ユニット３０を支持している。収容空間１２Ｂは、ヘッド部ケース１２Ａの内部に形成されている。ヘッド部ケース１２Ａは、内刃ユニット４０を収容している。
【００２４】
駆動部１３は、本体幅方向において内刃ユニット４０を往復運動させる。駆動部１３は、駆動源（図示略）および駆動軸１３Ａを有する。駆動源としては、リニアモーターが用いられている。駆動源は、把持部１１の内部およびヘッド部１２の内部に収容されている。駆動軸１３Ａは、駆動源および内刃ユニット４０と結合されている。駆動軸１３Ａは、収容空間１２Ｂに突出している。電源スイッチ１４は、把持部１１の本体正面１０Ａに形成されている。
【００２５】
内刃支持板２０は、支持板本体２１および複数の支持板孔２２を有する。支持板本体２１は、内刃ユニット４０を支持している。支持板本体２１は、収容空間１２Ｂに配置されている。支持板本体２１は、ヘッド部１２の内壁に固定されている。複数の支持板孔２２は、支持板本体２１に形成されている。複数の支持板孔２２は、支持板本体２１を貫通している。
【００２６】
外刃ユニット３０は、外刃支持部３１および外刃本体３２を有する。外刃支持部３１は、外刃本体３２を支持している。外刃支持部３１は、ヘッド部ケース１２Ａに取り付けられている。
【００２７】
外刃本体３２は、外刃支持部３１に結合されている。外刃本体３２は、外刃孔３２Ａを複数有する。外刃孔３２Ａは、髭を収容空間１２Ｂに導入することが可能な大きさを有する。
【００２８】
内刃ユニット４０は、外刃ユニット３０に対して往復運動することにより毛を切断する。内刃ユニット４０は、内刃本体４１を有する。内刃本体４１は、駆動部１３と結合されている。内刃本体４１は、複数のスリット孔４１Ａが形成されている。
【００２９】
毛軟化部５０は、外刃孔３２Ａを介してスチームを使用者の髭に噴射する。スチームは、水を加熱することにより発生した水蒸気を意味する。また、毛軟化部５０が発生したスチームは、空気中で冷却されて微小の水滴となって使用者の髭に付着する。
【００３０】
図２を参照して、毛軟化部５０の構成について説明する。
毛軟化部５０は、軟化部本体６０、噴出部７０、防水透湿膜８０、温度調節部９０、および、スチーム切替スイッチ１００を有する。
【００３１】
軟化部本体６０は、ヘッド部１２の収容空間１２Ｂに存在している。軟化部本体６０は、ヒーター６１およびタンク６２を有する。
ヒーター６１は、タンク６２に貯められた水を加熱する。ヒーター６１は、本体長手方向において、タンク６２よりも把持部１１側に位置している。ヒーター６１は、タンク６２と接触している。なお、ヒーター６１は、「加熱部」に相当する。
【００３２】
タンク６２は、内部に水を貯めている。タンク６２は、収容空間１２Ｂから電気かみそり１の外部へ取り出すことが可能な構造を有する。なお、タンク６２は、「貯水部」に相当する。
【００３３】
噴出部７０は、ヒーター６１がタンク６２を加熱することにより発生したスチームを、本体長手方向の上方に噴出する機能を有する。噴出部７０は、噴出路７１および噴出口７２を有する。噴出路７１は、タンク６２に固定されている。
【００３４】
噴出路７１は、スチームが流通する。噴出口７２は、噴出路７１の先端が開口することにより形成されている。噴出口７２は、収容空間１２Ｂの内部に存在している。噴出口７２は、支持板孔２２および外刃孔３２Ａを介して外部と連通している。
【００３５】
防水透湿膜８０は、内刃支持板２０の支持板本体２１の裏面に貼り付けられている。防水透湿膜８０としては、マイクロポーラスフィルムが用いられている。防水透湿膜８０は、複数の微小孔（図示略）を有する。微小孔は、０．３μｍ以下の径を有する。このため、防水透湿膜８０は、０．３μｍ未満の径を有する水蒸気および水滴が通過する。
【００３６】
温度調節部９０は、温度調節ダイヤル９１、感熱部９２、サーモスタット９３、および、電源９４を有する。温度調節ダイヤル９１は、把持部１１の表面に露出している（図１参照）。温度調節ダイヤル９１は、スチームの温度を表示している。温度調節ダイヤル９１は、一例として、４０℃以上〜７０℃未満の温度を表示している。
【００３７】
感熱部９２は、内刃支持板２０に固定されている。感熱部９２は、収容空間１２Ｂの温度を検知する。感熱部９２は、サーモスタット９３と電気的に接続されている。
サーモスタット９３としては、一例として、液体膨張式のサーモスタットが採用されている。
【００３８】
サーモスタット９３は、膨張ダイヤフラム（図示略）を有する。膨張ダイヤフラムは、感熱部９２が検知した温度に応じて膨張および収縮することにより、電源９４とヒーター６１との電気的な接続を切り替える。膨張ダイヤフラムは、温度調節ダイヤル９１と接続されている。
【００３９】
電源９４は、ヒーター６１に電力を供給する。
スチーム切替スイッチ１００は、電源９４とヒーター６１と電気的な接続を切り替える。スチーム切替スイッチ１００は、把持部１１の表面に露出している（図１参照）。
【００４０】
図３を参照して、内刃支持板２０の詳細な構成について説明する。
内刃支持板２０の支持板本体２１は、内刃通過面２１Ａおよび内刃非通過面２１Ｂを有する。
【００４１】
内刃通過面２１Ａは、内刃非通過面２１Ｂと連続して形成されている。内刃通過面２１Ａは、支持板本体２１の平面視において、内刃本体４１が往復駆動するときに通過する面および周辺を含む。
【００４２】
内刃非通過面２１Ｂは、支持板本体２１の平面視において、内刃本体４１が往復駆動するときに通過しない面を示している。内刃非通過面２１Ｂは、支持板本体２１において、本体幅方向の両端を含む位置に形成されている。
【００４３】
支持板孔２２は、内刃通過面２１Ａに１２個形成されている。支持板孔２２は、内刃非通過面２１Ｂに４個形成されている。すなわち、内刃通過面２１Ａに存在する支持板孔２２の個数は、内刃非通過面２１Ｂに存在する支持板孔２２の個数よりも多い。
【００４４】
図４を参照して、毛軟化部５０の回路構成について説明する。
電源９４は、スチーム切替スイッチ１００と電気的に接続されている。スチーム切替スイッチ１００は、サーモスタット９３と電気的に接続されている。サーモスタット９３は、スチーム切替スイッチ１００、温度調節ダイヤル９１、感熱部９２、および、ヒーター６１と電気的に接続されている。ヒーター６１は、サーモスタット９３および電源９４と電気的に接続されている。
【００４５】
図１および図５を参照して、電気かみそり１の作用について説明する。
電源スイッチ１４は、使用者によりオンにされる。このため、駆動部１３に電力が供給される。このため、駆動部１３は、内刃ユニット４０を外刃ユニット３０に対して往復駆動させる。
【００４６】
スチーム切替スイッチ１００は、使用者によりオンにされる。このため、電源９４からヒーター６１に電力が供給される。ヒーター６１は、タンク６２の水を加熱する。このため、タンク６２からスチームが発生する。
【００４７】
タンク６２から発生したスチームは、噴出路７１を通過する。噴出路７１を通過したスチームは噴出口７２から収容空間１２Ｂに放出される。収容空間１２Ｂに放出されたスチームは、支持板孔２２を通過して上昇する。支持板孔２２を通過したスチームは、外刃孔３２Ａを介して外部へと放出される。
【００４８】
一方、感熱部９２は、収容空間１２Ｂの温度を検知している。膨張ダイヤフラムは、収容空間１２Ｂの温度が上昇するにともない膨張する。収容空間１２Ｂの温度が、温度調節ダイヤル９１で設定された温度を上回ったとき、膨張ダイヤフラムは、電源９４とヒーター６１とを電気的に切断する。このため、電源９４からヒーター６１への電力の供給が中断される。このため、ヒーター６１の加熱が中断する。このため、タンク６２からのスチームの発生量は、徐々に減少し、やがて停止する。このため、収容空間１２Ｂの温度は、徐々に低下する。収容空間１２Ｂの温度が低下することにともない、膨張ダイヤフラムは収縮する。収容空間１２Ｂの温度が温度調節ダイヤル９１で設定された温度まで低下したとき、膨張ダイヤフラムは、電源９４とヒーター６１とを電気的に接続する。このため、ヒーター６１はタンク６２の水を加熱する。このため、タンク６２からスチームが発生する。
【００４９】
電気かみそり１は、以下の効果を奏する。
（１）電気かみそり１の噴出口７２は、外刃孔３２Ａを介して電気かみそり１の外部と連通している。このため、軟化部本体６０が発生させたスチームは、噴出口７２を介して収容空間１２Ｂに噴出される。収容空間１２Ｂに噴出されたスチームは、外刃孔３２Ａを介して電気かみそり１の外部へ噴出される。
【００５０】
一方、電気かみそり１は、肌面に外刃本体３２が押し付けられて使用される。このため、電気かみそり１は、外刃孔３２Ａを介して外部に噴出されたスチームが髭と接触しやすい。このため、電気かみそり１は、毛を軟化させやすい。
【００５１】
（２）電気かみそり１は、軟化部本体６０を有する。軟化部本体６０は、温度調節ダイヤル９１によって設定された温度によっては、高温になることがある。電気かみそり１の軟化部本体６０は、収容空間１２Ｂに収容されている。このため、電気かみそりは、軟化部本体６０がかみそり本体１０から露出していない。このため、電気かみそり１は、高温の軟化部本体６０が使用者の肌に触れることを抑制できる。
【００５２】
（３）電気かみそり１は、内刃支持板２０を有する。内刃支持板２０は、支持板本体２１および複数の支持板孔２２を有する。噴出口７２は、支持板孔２２および外刃孔３２Ａを介して電気かみそり１の外部と連通している。このため、噴出口７２から噴出されたスチームは、支持板孔２２を通過して外刃孔３２Ａに移動する。
【００５３】
一方、支持板孔２２は、切断された髭が詰まることがある。電気かみそり１の支持板本体２１は、複数の支持板孔２２が形成されている。このため、電気かみそり１は、単一の支持板孔２２を有する構成と比較して、切断された髭が、支持板孔２２に詰まることにより、スチームが内刃支持板２０よりも上昇できなくなることを抑制できる。
【００５４】
（４）電気かみそり１は、かみそり本体１０が傾いた状態で使用者により使用された場合、軟化部本体６０から噴出したスチームが、ヘッド部ケース１２Ａの内壁に付着することがある。このため、電気かみそり１は、かみそり本体１０が傾いた状態で使用者により使用された場合、軟化部本体６０が発生したスチームの量に対して、外刃孔３２Ａを介して電気かみそり１の外部に放出されるスチームの量が減少するおそれがある。
【００５５】
電気かみそり１の内刃支持板２０は、支持板孔２２を有する。支持板孔２２は、支持板本体２１の内刃通過面２１Ａおよび内刃非通過面２１Ｂにそれぞれ形成されている。このため、電気かみそり１は、かみそり本体１０を傾けて電気かみそり１を使用したときに、軟化部本体６０が発生したスチームの量に対する外刃孔３２Ａを介して電気かみそり１の外部に放出されるスチームの量が減少することを抑制できる。
【００５６】
（５）電気かみそり１の毛軟化部５０は、防水透湿膜８０を有する。防水透湿膜８０は、噴出口７２と外刃孔３２Ａとの間に存在している。防水透湿膜８０は、内刃支持板２０の裏面に貼り付けられている。このため、タンク６２の水は、タンク６２から外刃孔３２Ａを介して電気かみそり１の外部に漏れにくい。
【００５７】
（６）毛軟化部５０は、温度調節部９０を有する。温度調節部９０は、ヒーター６１の加熱温度を調節する。このため、電気かみそり１は、使用者の好みに応じた温度のスチームを使用者の肌面に噴出することができる。
【００５８】
本電気かみそりは、上記実施形態とは異なるその他の実施形態を含む。その他の実施形態は、上記実施形態の変形例として以下に示されている形態を含む。なお、以下の各変形例は、技術的に矛盾しない範囲において互いに組み合わせることができる。
【００５９】
・実施形態の電気かみそり１の毛軟化部５０は、収容空間１２Ｂに存在している。ただし、毛軟化部５０の存在する場所は、実施形態に例示された場所に限られない。変形例の毛軟化部は、把持部１１の内部に存在している、または、かみそり本体１０の外部に存在している。
【００６０】
・実施形態の電気かみそり１は、軟化部本体６０を有する。軟化部本体６０は、スチームを発生する。ただし、軟化部本体６０の構成は、実施形態に例示された内容に限られない。変形例の軟化部本体は、スチームよりも分子量の大きいミストを発生する。
【００６１】
・実施形態のタンク６２は、水を貯めている。ただし、タンク６２が貯めている液体は、実施形態に例示された液体に限られない。変形例のタンクは、液体アルコールを貯めている。
【００６２】
・実施形態の噴出部７０は、軟化部本体６０の外部に存在している。ただし、噴出部７０が存在する位置は、実施形態に例示された内容に限られない。変形例の噴出部は、軟化部本体６０の内部に存在している。
【００６３】
・実施形態の噴出口７２は、内刃支持板２０よりも、電気かみそり１の本体長手方向の下方に存在している。ただし、噴出口７２が存在する位置は、実施形態に例示された内容に限られない。変形例の噴出口は、内刃支持板２０よりも、電気かみそり１の本体長手方向の上方に存在している。
【００６４】
・実施形態の電気かみそり１は、往復動式電気かみそりとしての形態を有する。ただし、電気かみそり１の駆動形態は、実施形態に例示された内容に限られない。変形例の電気かみそりは、内刃ユニットが外刃ユニットに対して回転運動する。すなわち、変形例の電気かみそりは、いわゆるロータリー式電気かみそりとしての形態を有する。
【００６５】
・実施形態の電気かみそり１は、髭を切断する。ただし、電気かみそり１が切断する毛は、髭に限られない。変形例の電気かみそりは、髭を含む様々な毛を切断する。
・実施形態の電気かみそり１の外刃ユニット３０は、５枚の外刃本体３２を有する。ただし、電気かみそり１が有する外刃本体３２の枚数は、実施形態に例示された枚数に限られない。変形例の電気かみそりは、１枚〜４枚のいずれかの枚数、または、６枚以上のいずれかの枚数の外刃本体３２を有する。
【符号の説明】
【００６６】
１…電気かみそり、１０…かみそり本体、１０Ａ…本体正面、１０Ｂ…本体背面、１０Ｃ…本体右側面、１０Ｄ…本体左側面、１１…把持部、１２…ヘッド部、１２Ａ…ヘッド部ケース、１２Ｂ…収容部、１３…駆動部、１４…電源スイッチ、２０…内刃支持板、２１…支持板本体、２１Ａ…内刃通過面、２１Ｂ…内刃非通過面、２２…支持板孔、３０…外刃ユニット、３１…外刃支持部、３２…外刃本体、３２Ａ…外刃孔、４０…内刃ユニット、４１…内刃本体、４１Ａ…スリット孔、５０…毛軟化部、６０…軟化部本体、６１…ヒーター（加熱部）、６２…タンク（貯水部）、７０…噴出部、７１…噴出路、７２…噴出口、８０…防水透湿膜、９０…温度調節部、９１…温度調節ダイヤル、９２…感熱部、９３…サーモスタット、９４…電源、１００…スチーム切替スイッチ、２００…電気かみそり、３００…かみそり本体、３１０…ヘッド部、３２０…外刃、３３０…把持部、４００…スチーム発生装置、４１０…装置本体、４２０…放出口、５００…肌面。
【図１】
2014230648.tif 000003
【図２】
2014230648.tif 000004
【図３】
2014230648.tif 000005
【図４】
2014230648.tif 000006
【図５】
2014230648.tif 000007
【図６】
2014230648.tif 000008